(57)【要約】【課題】従来の住宅壁面に取り付ける壁面取付型電気機器は、壁面に穴を開けて、その穴に指を入れながら取り付けるため、壁面に埋め込む奥行きが長い場合は、取り付けることが困難であった。【解決手段】本発明の壁面取付型電気機器は、取付穴を設けた壁面の背面に配した平面状の挟み込み板に断面コの字形形状の取付板を取り付け、壁面を挟み込んで固定し、さらに取付板に電気機器を取り付け、挟み込み板と電気機器とで取付板を挟みこむようにした。【選択図】図１
2005295619.tif 000002
【特許請求の範囲】
【請求項１】
取付穴を設けた壁面の背面に配した平面状の挟み込み板と、前記挟み込み板に取り付ける断面コの字形形状の取付板と、前記取付板に取り付けて前記壁面に固定する電気機器とを備える壁面取付型電気機器であって、前記取付板は、前記挟み込み板と前記電気機器に挟まれて取り付けられる壁面取付型電気機器。
【請求項２】
取付板は、断面コの字形形状の向かい合う２つの平面部の外側面が、それぞれ前記挟み込み板と前記電気機器と接して取り付けられる請求項１記載の壁面取付型電気機器。
【請求項３】
取付板は、壁面を挟み込んで挟み込み板に取り付けられる請求項１または２記載の壁面取付型電気機器。
【請求項４】
取付板は、断面コの字型形状の向かい合う２つの平面部の長さが異なる請求項１から３のいずれかに記載の壁面取付型電気機器。
【請求項５】
取付板は、長い方の平面部の内側面を壁面の表面に接するようにした請求項４記載の壁面取付型電気機器。
【請求項６】
挟み込み板は、壁面の取付穴の中心に向かって突出する凸平面部を有し、取付板は、短い方の平面部の外側面を前記凸平面部に接するようにした請求項４または５記載の壁面取付型電気機器。
【請求項７】
取付板は、壁面の取付穴の上下に、それぞれ少なくとも１箇所設けた請求項１から６のいずれかに記載の壁面取付型電気機器。
【請求項８】
電気機器は、
接続する設備機器の制御を行う機器アダプタである請求項１から７のいずれかに記載の壁面取付型電気機器。
【発明の詳細な説明】
【技術分野】
【０００１】
本発明は、住宅壁面に取り付け電気機器に関するものである。
【背景技術】
【０００２】
従来より、住宅内の壁面に取り付ける電気機器はあったが、近年特に、中央集中型操作盤を壁面に取り付け、宅内の家電機器を遠隔で操作する、いわゆるホームネットワークも徐々に普及し、新築、既築を問わず、壁面取付型電気機器が取り付けられる機会は増加している（特許文献１参照）。
【０００３】
図４は、従来の、住宅壁面に取り付ける壁面取付型電気機器の取り付け図を示すもので、１０１は挟み込み板、１０２は住宅内の壁面、１１８は電気機器を示す。
【０００４】
このような従来の壁面取付型電気機器を壁面に取り付けるに当たっては、図４に示すように、壁面１０２に設けた取付穴１０２ａを通して裏面に配した挟み込み板１０１と、電気機器１１８の上下の設けた取り付け部１１８ａ、１１８ｂにより、壁面１０２の上下部１０２ｂ、１０２ｃを挟み込むようにして本体ねじ１１５、１１６とで締め付けて壁面１０２に取り付けられていた。これについて以下に説明する。
【０００５】
まず壁面１０２には、取り付ける電気機器１１８の外周より一回り大き目の取付穴１０２ａを設ける。次に取付穴１０２ａを通して壁面１０２の裏側に、挟み込み板１０１を入れる。さらに、挟み込み板１０１が落ちないように壁面に裏側から手で押さえながら、挟み込み板１０１に空いているねじ穴１０５および１０６に、電気機器１１８に設けている本体取り付け穴１１１、１１２とを合わせ、最後に本体ねじ１１５、１１６で締め付ける。なお図５に取付完了の状態を示す。
【０００６】
このように、従来の電気機器１１８を住宅壁面に取り付ける方法は、壁面１０２に取付穴を開けて、その穴に指を入れながら取り付ける方法を採っており、そのため、壁面１０２の厚みが厚く、埋め込む奥行きが長い電気機器１１８は、指の回り込みが難しく、取り付けることが困難なであった。
【０００７】
また、別の実施例として、図６に示すように、電気機器１１８に取り付け穴機器と取り付け部分を分離構造にすることもできる。すなわち、図６において、上記従来例と同様、１０１は挟み込み板、１０２は壁面を示し、取付平板１０３、１０４を用い、ねじ１１３、１１４によって挟み込み板１０１と共に壁面１０２上下部を挟み込んで固定する。さらに取付平板１０３、１０４に設けた本体取付穴１０９、１１０に電気機器１１７を本体ねじ１１５、１１６で締め付けて固定する。この時の取り付け完了の状態は図８に示すとおりである。
【０００８】
しかしながらこのような取付を行った場合、図７の取り付け状態を示す断面図に示すように、挟み込み板１０１で壁面１０２を締め付けようとすると、壁面１０２のエッジが支点、取付平板１０３のねじ締め付け部が力点となるため、ねじ締め付け位置と反対方向が浮き上がる。そのため、取付板が平板では挟み込み板１と共に壁面２を挟み込んで締め付ける際に支障をきたしていた。
【特許文献１】特開平１１−２４３６２０号公報（図１）
【発明の開示】
【発明が解決しようとする課題】
【０００９】
上記従来の住宅壁面に取り付ける壁面取付型電気機器は、壁面に穴を開けて、その穴に指を入れながら取り付けるため、壁２に埋め込む奥行きが長い場合は、取り付けることが困難であった。
【課題を解決するための手段】
【００１０】
上記目的を達成するために、本発明の壁面取付型電気機器は、取付穴を設けた壁面の背面に配した平面状の挟み込み板と、前記挟み込み板に取り付ける断面コの字形形状の取付板と、前記取付板に取り付けて前記壁面に固定する電気機器とを備える壁面取付型電気機器であって、前記取付板は、前記挟み込み板と前記電気機器に挟まれて取り付けられるものである。
【００１１】
また本発明の壁面取付型電気機器は、取付板は、断面コの字形形状の向かい合う２つの平面部の外側面が、それぞれ前記挟み込み板と前記電気機器と接して取り付けられるものである。
【００１２】
また本発明の壁面取付型電気機器は、取付板は、壁面を挟み込んで挟み込み板に取り付けられるものである。
【００１３】
また本発明の壁面取付型電気機器は、取付板は、断面コの字型形状の向かい合う２つの平面部の長さが異なるものである。
【００１４】
また本発明の壁面取付型電気機器は、取付板は、長い方の平面部の内側面を壁面の表面に接するようにしたものである。
【００１５】
また本発明の壁面取付型電気機器は、挟み込み板は、壁面の取付穴の中心に向かって突出する凸平面部を有し、取付板は、短い方の平面部の外側面を前記凸平面部に接するようにしたものである。
【００１６】
また本発明の壁面取付型電気機器は、取付板は、壁面の取付穴の上下に、それぞれ少なくとも１箇所設けたものである。
【発明の効果】
【００１７】
以上の説明から明らかなように、本発明により、壁面に埋め込む奥行きが長い電気機器でも取り付けることができる機構として実用的にきわめて有用である。
【発明を実施するための最良の形態】
【００１８】
（実施の形態１）
以下に本発明の実施の形態１における壁面取付型電気機器について図１を用いて説明する。図１は、本実施の形態における壁面取付型電気機器およびその取り付け方法を示す図であり、１は挟み込み板、２は電気機器１７を取り付ける壁面、２aは壁面２に設けられた取付穴、３、４は取付板を示す。
【００１９】
そして、挟み込み板１は、図に示すように平板状にコの字を形成し、その両端の向かい合う部分には、近づく方向に凸部１ａ、１ｂを備えている。なお、挟み込み板１のうち、壁面２によって隠れている部分は点線で、取付穴２aから見えている凸部１a、１ｂは実線で示している。また、取付板３、４は、共に断面がコの字型形状であり、本実施の形態では向かい合う２つの平面部のうち、第１の平面部３ａ、４ａの長さはもう一方の第２の平面部３ｂ、４ｂの長さより長くなっている。
【００２０】
ここで、このような壁面取付型電気機器を用いるシステムの一例について図２を用いて説明する。図２は、本実施の形態における壁面取付型電気機器を用いたシステムの一例を示す図であり、２２ａ〜２２ｃが本実施の形態における壁面取付型電気機器の例として用いる機器アダプタを示す。この機器アダプタ２２ａ〜２２ｃは、宅外から送信される信号を配電盤２０に備えられたコントローラ２１を介して受信し、その信号に基づいて接続する宅内の設備機器の制御を行う。なおこの例では通信手段として電灯線２４に高周波信号を重畳して信号送信する電灯線通信が用いられており、接続するテレビ、エアコン、照明装置などの設備機器２３ａ〜２３ｃのオンオフ等の制御を行う。また、この機器アダプタ２２ａ〜２２ｃを壁面に取り付けることで、電源オンオフ等の手動入力作業を容易に行えるようにしている。
【００２１】
次に、図１により、電気機器１７を壁面２に取り付ける方法について説明する。まず、挟み込み板１を長方形形状の壁面の取付穴２ａに通して壁面２の背面に持って行き、凸部１ａおよび１ｂが、壁面の取付穴２ａの上下の位置で中心に向かって突出するように配置する。次に下側の取付板３を、この取付板３を構成する第１の平面部３ａ、第２の平面部３ｂのうち、第２の平面部３ｂの外側面が凸部１ｂに接するように配置し、ねじ１３で締め付ける。
【００２２】
これについて図３を用いてさらに詳細に説明する。図３は、下側の取付板３を挟み込み板１に取り付けた状態を断面で示した図である。図３に示すように、取付板３の第１の平面部３ａ、および第２の平面部３ｂの両方にねじ通し穴７ａ、７ｂが設けられており、さらに、挟み込み板１の凸部１ｂにはねじ取り付け穴５が設けられている。そして挟み込み板１と取付板３とで壁面２を挟み込み、ねじ１３をねじ通し穴７ａ、７ｂに通し、ねじ取り付け穴５に締め付ける。これにより、取付け板３は、第１の平面部３ａと挟み込み板１とで壁面２を挟み込むことで壁面２に固定できる。
【００２３】
このように、取付板３をコの字形形状にし、壁面を挟み込むようにしたことにより、ねじを締め付けても、締め付ける方向と反対方向に浮き上がらないようにすることができる。また、手を入れて作業できる空間を確保することができるので、壁厚みが厚い場合であっても容易に作業ができる。
【００２４】
同様に、上側についても、上側の取付板４の第１の平面部４ａと挟み込み板１とで壁面２を挟み込み、ねじ１４にて固定する。
【００２５】
次に、図１に示すように、壁面２に固定された取付板３、４に電気機器１７を取り付け、壁面２に固定する。すなわち、下側の取付板３の第１の平面部３ａには、ねじ通し穴７ａの横にねじ取り付け穴９が設けられており、本体ねじ１５を電気機器１７に設けられている本体取り付け穴１１に通して締め付け、電気機器１７を取り付け板３に固定する。
【００２６】
同様に、上側についても、本体ねじ１６により電気機器１７を取付板４に締め付けて固定する。
【００２７】
このようにして、従来例で示した図７と同様の取付完了の状態となる。本実施の形態では、上記説明したように、従来例では支障をきたしていた取付時の課題をなくし、堅牢に電気機器を壁面に取り付けることができる。
【００２８】
なお、図１中電気機器１７の凹部１７ａ、１７ｂは、図７で示すように、取り付け板３、４を挟み込み板１に取り付けるねじ１３、１４を避けるために設けたものである。
【００２９】
このような構造にすることで、壁面２に埋め込む奥行き長い機器であっても、容易に取り付けることができる。
【産業上の利用可能性】
【００３０】
本発明は、作業性よく堅牢に壁面への電気機器の取り付けを可能にしたので、新設、既設の別なく、また住宅内に限らず、広くオフィス、工場等の壁面取り付け用電気機器として有用である。また、壁面に穴を開け、壁面の背面での配線を必要とする場合にも仕上がりを美しく見栄えよく設置できるようにする。
【図面の簡単な説明】
【００３１】
【図１】本発明の実施の形態１における壁面取付型電気機器およびその取り付け方法を示す図
【図２】本発明の実施の形態１における壁面取付型電気機器を用いたシステムの一例を示す図
【図３】本発明の実施の形態１において取付板３を挟み込み板１に取り付けた状態を断面で示した図
【図４】従来の壁面取付型電気機器およびその取り付け方法を示す図
【図５】従来の壁面取付型電気機器の壁面への取付を完了した状態を示す図
【図６】従来の別の実施例における壁面取付型電気機器およびその取り付け方法を示す図
【図７】従来の別の実施例において取付板１０３を挟み込み板１０１に取り付けた状態を断面で示した図
【図８】従来の別の実施例および本発明の実施の形態における壁面取付型電気機器の壁面への取付を完了した状態を示す図
【符号の説明】
【００３２】
１          挟み込み板
１ａ、１ｂ  挟み込み板１の凸平面部
２          壁面
３、４      取付板
３ａ、４ａ  取付板３、４の第１の平面部
３ｂ、４ｂ  取付板３、４の第２の平面部
１７        電気機器
【図１】
2005295619.tif 000003
【図２】
2005295619.tif 000004
【図３】
2005295619.tif 000005
【図４】
2005295619.tif 000006
【図５】
2005295619.tif 000007
【図６】
2005295619.tif 000008
【図７】
2005295619.tif 000009
【図８】
2005295619.tif 000010